(57)【要約】【課題】下吸込型の空調用室外機を設置する際の騒音の発生が抑制された構造物を提供する。【解決手段】構造物１は、下吸込型の空調用室外機９０の吸気口を取り付け可能な開口１１が複数設けられた室外機設置フロア１０と、室外機設置フロア１０の下方に設けられて、複数の開口１１に対して接続された風洞２１を有する風洞フロア２０と、遮音機能を有すると共に、風洞フロア２０へ向けて気体を供給する給気部３０と、を有する。【選択図】図１
2020193741.tif 000002
【特許請求の範囲】
【請求項１】
下吸込型の空調用室外機の吸気口を取り付け可能な開口が複数設けられた室外機設置フロアと、
前記室外機設置フロアの下方に設けられて、前記複数の開口に対して接続された風洞を有する風洞フロアと、
遮音機能を有すると共に、前記風洞フロアへ向けて気体を供給する給気部と、
を有する、構造物。
【請求項２】
前記給気部は、
前記室外機設置フロアよりも外方に設けられ、前記室外機設置フロアと前記構造物の端部との間に設けられると共に、前記室外機設置フロアよりも上方に突出する二重の側壁を有し、当該二重の側壁の間に給気口が設けられる、請求項１に記載の構造物。
【請求項３】
前記二重の側壁の少なくとも一方の内面が吸音機能を有する、請求項２に記載の構造物。
【請求項４】
前記二重の側壁の少なくとも一方は、その上端が前記室外機設置フロアに設置される空調用室外機よりも高い、請求項２または３に記載の構造物。
【請求項５】
前記二重の側壁のうち前記室外機設置フロア側の側壁の上端から前記構造物の端部側の側壁側へ突出する折り返し壁をさらに有する、請求項２〜４のいずれか一項に記載の構造物。
【請求項６】
前記折り返し壁は、前記室外機設置フロア側の側壁の上端の全域に設けられている、請求項５に記載の構造物。
【発明の詳細な説明】
【技術分野】
【０００１】
本発明は、構造物に関する。
【背景技術】
【０００２】
建物の屋上等に空調用室外機等を設置した場合、騒音等の問題が発生し得る。これに対して、引例１では、遮音壁を用いた遮音装置が開示されている。
【先行技術文献】
【特許文献】
【０００３】
【特許文献１】特開平０４−１５６５９８号公報
【発明の概要】
【発明が解決しようとする課題】
【０００４】
近年、下吸込型の空調用室外機を建物の屋上等に設置する場合がある。しかしながら、下吸込型の空調用室外機を設置する場合の騒音に対しては十分な検討がなされていなかった。
【０００５】
本発明は上記を鑑みてなされたものであり、下吸込型の空調用室外機を設置する際の騒音の発生が抑制された構造物を提供することを目的とする。
【課題を解決するための手段】
【０００６】
上記目的を達成するため、本発明の一形態に係る構造物は、下吸込型の空調用室外機の吸気口を取り付け可能な開口が複数設けられた室外機設置フロアと、前記室外機設置フロアの下方に設けられて、前記複数の開口に対して接続された風洞を有する風洞フロアと、遮音機能を有すると共に、前記風洞フロアへ向けて気体を供給する給気部と、を有する。
【０００７】
上記の構造物によれば、複数の空調用室外機が設置された室外機設置フロアの下方に設けられた風洞フロアへの給気部が、遮音機能を有している。したがって、室外機設置フロアに配置された空調用室外機の騒音が風洞フロアを経て外部へ伝搬することが防がれるので、下吸込型の空調用室外機を設置した場合でも周囲に騒音が伝搬することを防ぐことができる。
【０００８】
ここで、前記給気部は、前記室外機設置フロアよりも外方に設けられ、前記室外機設置フロアと前記構造物の端部との間に設けられると共に、前記室外機設置フロアよりも上方に突出する二重の側壁を有し、当該二重の側壁の間に給気口が設けられる態様とすることができる。
【０００９】
上記のように、室外機設置フロアよりも上方に突出する二重の側壁を有し、その二重の側壁の間が給気口となることで、給気口は上方に開口することとなり、隣接する建造物等への音の伝搬を抑制することができる。また、室外機設置フロアよりも上方に突出する二重の側壁が空調用室外機から横方向に伝搬する音を遮蔽する遮音壁としても機能することができる。
【００１０】
また、前記二重の側壁の少なくとも一方の内面が吸音機能を有する態様とすることができる。
【００１１】
上記のように、側壁自体が吸音機能を有する構成とした場合、外部に対する騒音の抑制効果がさらに高められる。
【００１２】
前記二重の側壁の少なくとも一方は、その上端が前記室外機設置フロアに設置される空調用室外機よりも高い態様とすることができる。
【００１３】
上記のように、側壁が空調用室外機よりも上端が高い構成とすることで、空調用室外機から横方向に伝搬する音をさらに効果的に遮蔽することができる。
【００１４】
前記二重の側壁のうち前記室外機設置フロア側の側壁の上端から前記構造物の端部側の側壁側へ突出する折り返し壁をさらに有する態様とすることができる。
【００１５】
上記のように、室外機設置フロア側の側壁の上端から構造物の端部側の側壁側へ突出する折り返し壁を有することで、折り返し壁が設けられる分だけ空調用室外機設置エリアの空調用室外機と、給気口との間を離間させることが可能となり、空調用室外機から排出される気体がそのまま給気口を経て空調用室外機へ流れ込む所謂ショートサーキットを防ぐことができる。折り返し壁の下方に空間が形成されるため、当該空間に気体が貯留しやすくなり風洞フロアへ気体が流れやすくなる。
【００１６】
前記折り返し壁は、前記室外機設置フロア側の側壁の上端の全域に設けられている態様とすることができる。
【００１７】
上記のように、折り返し壁が室外機設置フロアの側壁の上端の全域に設けられることで、ショートサーキットを防ぐ効果がさらに高められる。
【発明の効果】
【００１８】
本発明によれば、下吸込型の空調用室外機を設置する際の騒音の発生が抑制された構造物が提供される。
【図面の簡単な説明】
【００１９】
【図１】図１は、一実施形態に係る構造物の断面図である。
【図２】図２は、構造物の平面図である。
【発明を実施するための形態】
【００２０】
以下、添付図面を参照して、本発明を実施するための形態を詳細に説明する。なお、図面の説明においては同一要素には同一符号を付し、重複する説明を省略する。
【００２１】
図１は、一実施形態に係る構造物の断面図である。また、図２は、構造物の平面図である。なお、図１に示す断面図は、図２に示すＩ−Ｉ線に沿った断面図に対応するが、一部模式的に示している。また、図１では空調用室外機が設置された状態を示しているが、図２では、空調用室外機を設置していない状態を示している。
【００２２】
構造物１は、例えば、ビル等の建造物の屋上付近に設けられる構造であり、空調用室外機を整列配置する構造を有している。すなわち、構造物１は、空調用室外機を設置するための構造物であって、ビル等の建造物の屋上に設けられていてもよいし、地上に設けられていてもよい。以下の実施形態では、構造物１がビルの屋上に設けられている場合について説明する。図１に示すように、構造物１は、室外機設置フロア１０と、室外機設置フロア１０の下方に設置された風洞フロア２０と、風洞フロア２０に対して気体を供給する給気部３０と、を含んで構成される。なお、以下の実施形態では、空調が冷房設備である場合について説明する。
【００２３】
室外機設置フロア１０は、例えばビルの屋上のような上方が開放された場所に設けられるフロアである。構造物１がビルの屋上付近に設けられる場合、室外機設置フロア１０の床面が屋上床面に対応する。室外機設置フロアには、空調用室外機が複数設置可能となるように開口１１が設けられる。開口１１は、空調用室外機の設置に適した程度の大きさとされている。図１では開口１１上に空調用室外機９０が複数設けられている状態を示している。空調用室外機９０は、所謂下吸込型且つ空冷型の空調用室外機であり、吸気口が本体部の下面に設けられている。また、下吸込型の空調用室外機９０は、一般的に排気口が本体部の上面に設けられている。そのため、空調用室外機９０からの排気は本体部からその上方へ排出される。
【００２４】
空調用室外機９０を室外機設置フロア１０の所定の位置に設置した場合、この本体部の下面の吸気口に対応する位置に開口１１が設けられるように、開口１１の配置及び形状が設定されている。なお、開口１１の大きさは空調用室外機９０の本体部よりも小さく、空調用室外機９０が室外機設置フロア１０上に安定して設置可能な形状とされる。
【００２５】
室外機設置フロア１０のうち開口１１が形成されていない領域の床面１２は、空調用室外機９０の運搬用及び点検用の歩廊として使用される。したがって、空調用室外機９０の運搬が可能な程度であると共に、室外機設置フロア１０に設置される空調用室外機９０のそれぞれに対するアクセスが可能となるように床面１２の配置及び大きさが設計される。なお、室外機設置フロア１０の床面１２は、下方の風洞フロア２０と室外機設置フロア１０とを区切る隔壁としての機能も有する。
【００２６】
図２では、室外機設置フロア１０における開口１１の配列が示されている。図２に示されるように、室外機設置フロア１０では、複数の開口１１が連続的に設けられると共に、各開口１１に設置される空調用室外機９０に係る点検が可能となるように、床面１２が配置される。図２に示されるように、室外機設置フロア１０には、空調用室外機９０用の開口１１が予め設けられる。開口１１の数は、構造物１の設計時に想定された空調設備に応じて設定される。ただし、構造物１が完成した段階で、設計時に想定した全ての空調設備が設置されていない場合、構造物１に設置される空調用室外機の数も想定よりも少なくなることになる。構造物１に設置される空調機が開口１１の数よりも少ない場合には、一部の開口１１の上方には空調用室外機９０が設置されない場合がある。その場合には、図１に示すように、開口１１を塞ぐための閉塞板１３が開口１１上に取り付けられる。また、空調用室外機９０を増設する場合には、閉塞板１３を除去することで、開口１１上に空調用室外機９０を簡単に設置することができる。したがあって、空調用室外機９０の増設を簡単に行うことができる。すなわち、閉塞板１３の除去のみに簡単に増設を行うことができるため、拡張性が高い。
【００２７】
図１に戻り、風洞フロア２０は、室外機設置フロア１０の下方に設けられる空間であり、当該空間が風洞２１として機能する。風洞フロア２０は、その上方では室外機設置フロア１０の床面１２によって、室外機設置フロア１０と区切られていて、その下方では、風洞フロア２０の床面２２によって、下層のフロアと区切られている。すなわち、図１に示すように、構造物１は室外機設置フロア１０及び風洞フロア２０を有し、室外機設置フロア１０の床面１２及び風洞フロア２０の床面２２によって区切られた所謂二重床構造とされている。また、床面２２は、構造物１の外周部分に相当する床面２２の端部において、床面２２に対して上方へ立ち上がる立ち上がり壁２３を有する。立ち上がり壁２３は、床面２２に対して連続して設けられる壁部ともいえる。この立ち上がり壁２３は、風洞フロア２０に設けられる風洞２１を閉じた空間とするための壁としても機能することができる。また、立ち上がり壁２３は、後述の給気部３０に対して連続する壁となり、且つ、給気部３０を構成する壁の一部となることもできる。
【００２８】
また、室外機設置フロア１０の床面１２及び風洞フロア２０の床面２２による二重床構造によって挟まれた空間は風洞２１となっていて、室外機設置フロア１０に設けられた複数の開口１１に対して接続されている。風洞２１は、後述の給気部３０から供給される気体を空調用室外機９０に対して供給する供給経路としての機能を有する。ただし、風洞２１は、複数の空調用室外機９０を順に接続するダクトのようなものではなく、面的に形成されている空間であり、複数の空調用室外機９０それぞれへ向かう気体の経路が特に限定されていない（ある程度自由に気体が移動できる）形状とされている。なお、風洞フロア２０は、１フロア全体が１つの風洞２１で形成されている必要はなく、１フロアの複数に分割することで複数の風洞が形成されていてもよい。
【００２９】
給気部３０は、風洞フロア２０に対して気体を供給する。構造物１の場合には、図１に示されるように、風洞フロア２０の端部に給気部３０が設けられている。また、給気部３０は、構造物１の端部に沿って形成されている。給気部３０が設けられる位置は適宜変更することができるが、風洞フロア２０への気体の供給しやすさ等を考慮して設定することができる。例えば、ビルの屋上部分に設けられる構造物１の場合、図２に示されるように、給気部３０は、略四角形のビルのうち対向する一対の外壁５０ａ，５０ｂに沿って延びていて、室外機設置フロア１０の下方に広がる風洞フロア２０を図２の図示上下方向で挟み込むように形成されている。その結果、図１に示すように、ビルの外壁５０ａ，５０ｂに対して交差する方向の断面で構造物１を見た場合、風洞フロア２０の両方の端部に給気部３０が設けられている状態となっている。上述のように、風洞フロア２０の上方に室外機設置フロア１０が設けられている。したがって、平面視において、給気部３０は、室外機設置フロア１０よりも外方に設けられているともいえる。
【００３０】
給気部３０は、室外機設置フロア１０よりも上方に突出する二重の側壁を含んで構成されている。具体的には、給気部３０は、二重の側壁として構造物１の内側に設けられた内壁３１と、内壁３１に対して外側に設けられた外壁３２とを含んでいるため、平面視において所謂二重壁構造とされている。内壁３１及び外壁３２はそれぞれ略垂直方向（略上下方向）に延びている。内壁３１及び外壁３２の上端は、少なくとも室外機設置フロア１０（の床面１２）よりも上方に設けられる。また、内壁３１及び外壁３２の上端は、室外機設置フロア１０に設置される空調用室外機９０の上端よりも高い位置とすることができる。内壁３１の下端は、例えば、室外機設置フロア１０の床面１２と連続した構造とすることができる。また、外壁３２の下端は、例えば、風洞フロア２０の床面２２から連続する立ち上がり壁２３と連続した構造とすることができる。なお、立ち上がり壁２３は、図１に示すように、ビルの外壁５０ａ，５０ｂと連続した構造とされていてもよい。
【００３１】
また、内壁３１には、内壁３１の上端付近から外壁３２側に突出する折り返し壁３３が設けられている。折り返し壁３３は、内壁３１の上端付近から外壁３２側へ略水平方向（横方向）に延びている。折り返し壁３３は、図２に示すように、ビルの外壁５０ａ，５０ｂに沿った給気部３０の延在方向に沿って延びている。折り返し壁３３の外壁３２側端部と外壁３２との間には給気口３４となる開口が形成されている。折り返し壁３３は給気部３０の延在方向に沿って給気部３０の全域に延びているため、給気口３４の幅（すなわち折り返し壁３３の端部と外壁３２との距離）も給気部３０に沿って略同一とされている。
【００３２】
給気部３０の内部には、内壁３１、外壁３２、及び折り返し壁３３によって形成された空間である給気風洞３５が形成される。折り返し壁３３が設けられていることによって、給気風洞３５は給気部３０よりも上方の開放された空間とは区切られた空間となっている。また、給気口３４は折り返し壁３３と外壁３２との間に設けられるため、給気風洞３５は上方に開口しているといえる。給気風洞３５の下方は、風洞フロア２０の床面２２及び立ち上がり壁２３によって閉じた空間とされている。
【００３３】
給気部３０の延在方向に沿った両端部（給気部３０のうち図２におけるビルの外壁５０ａ，５０ｂとは異なる一対の外壁に沿った端部）は、外壁３２と同種の壁が設けられることによって閉じた構成とされていてもよい。また、例えば、立ち上がり壁２３が上方へ延びることで、給気部３０の両端部を閉じる構成の一部として機能してもよい。この場合、立ち上がり壁２３の一部が給気部３０に含まれるともいえる。
【００３４】
また、給気風洞３５の下方において、給気風洞３５と風洞フロア２０の風洞２１とが連通している。図１に示すように内壁３１の下端は室外機設置フロア１０の床面１２と略同一とされている。したがって、室外機設置フロア１０の床面１２よりも下方では、給気風洞３５と風洞２１とが連通している状況となっている。本実施形態で示すように、一対の給気部３０がそれぞれビルの外壁５０ａ，５０ｂに沿って延びている場合、給気風洞３５と風洞２１との連通している部分も、給気部３０の延在方向、すなわち、ビルの外壁５０ａ，５０ｂの延在方向に沿って広く形成されている。すなわち、図１では、図２に示すＩ−Ｉ線に沿った構造物１の断面図を示しているが、給気部３０の延在方向（ビルの外壁５０ａ，５０ｂの延在方向）に沿ったどの位置においても、構造物１における風洞フロア２０及び給気部３０の位置関係は図１と同様の位置関係とされている。
【００３５】
上記の構造物１では、給気口３４から給気部３０の内部の給気風洞３５へ気体（外気）が入り込むことができる。給気風洞３５に入り込んだ気体は、一部は給気風洞３５に滞留することができると共に、給気風洞３５の下方から風洞フロア２０へ気体が移動する。
【００３６】
風洞フロア２０に移動した気体は、室外機設置フロア１０に設けられた開口１１を介して空調用室外機９０に吸い込まれる。また、図１では、上記の気体の流れが矢印Ａとして示されている。矢印Ａで示す気体の流れは、空調用室外機９０に対して供給される気体の流れに相当する。なお、空調用室外機９０からの排気は、図１において矢印Ｂとして示されるように、空調用室外機９０からその上方へ排気される。このように、構造物１では、給気部３０による給気は、空調用室外機９０による気体の吸い込みに応じて給気部３０に対して外部から気体が供給され、給気部３０から空調用室外機９０に流れる。すなわち、給気部３０は、気体の移動を促進するための送風機等を追加されていなくても、空調用室外機９０への給気が実現されている。
【００３７】
給気部３０では、折り返し壁３３が設けられることで、その内部に給気風洞３５が形成されている。そのため、構造物１外側の風等による気体の流れの乱れが給気部３０内に形成されることが防がれ、給気風洞３５から風洞フロア２０の風洞２１への気体の移動をスムーズに行うことができる。また、折り返し壁３３が設けられることで、給気風洞３５の幅（水平方向の幅）に対して給気口３４の幅を小さくすることができる。なお、給気口３４の幅は、風洞フロア２０における風洞２１の高さ（風洞２１を気体の移動経路であると見た場合の移動経路の幅に相当する）以上である構成とすることができる。また、給気風洞３５の幅（水平方向の幅）及び高さについても、風洞２１の高さ以上である構成とすることができる。このような構成とすることで、給気風洞３５及び風洞フロア２０での気体の移動に関する局部損失係数を小さくすることができる。なお、局部損失自体は気体の風速等によっても変化するため、給気風洞３５及び給気口３４の形状・大きさ等はこれらの要素も考慮して設計することができる。このように、折り返し壁３３を設けることで、給気部３０における気体の移動に係る抵抗を減らすことができることから、送風機等の気体の移動を促進する装置を設けなくても、空調用室外機９０による気体の吸い込みに応じた給気を行うことができる。また、給気口３４から給気風洞３５内に入り込んだ気体は、給気風洞３５内で一度滞留することになる。そして、空調用室外機９０の気体の吸込みに応じて、給気風洞３５内の気体が風洞フロア２０へ移動し、開口１１を経て空調用室外機９０に吸い込まれる。したがって、空調用室外機９０に対して、外部環境の変化によらず安定して気体を供給することができる。
【００３８】
また、構造物１では、空調用室外機９０に対する気体の供給経路として、風洞フロア２０に形成される風洞２１を採用している。空調用室外機９０への気体の供給経路としては、例えばダクトを用いることもできるが、風洞フロア２０に形成される風洞２１を介して気体を供給する構成とすることで、給気部３０近傍に設けられる空調用室外機９０へも気体の供給を適切に行うことができる。すなわち、給気風洞３５が設けられることで、空調用室外機９０の吸気口付近（室外機設置フロア１０の開口１１付近）を流れる気体の速度を給気部３０近傍においてある程度抑制することができるため、空調用室外機９０に対して適切に気体が流れるような構成とすることができる。
【００３９】
ここで、室外機設置フロア１０に複数の空調用室外機９０が設置されるため、空調用室外機９０の稼働による動作音が発生する。これに対して、本実施形態に係る構造物１では、給気部３０が遮音機能を有しているため、空調用室外機９０における動作音が構造物１の外方へ広がることを防ぐことができる。
【００４０】
構造物１では空調用室外機９０の下方に風洞フロア２０が設けられているため、空調用室外機９０で発生した動作音は風洞フロア２０を介して広がる可能性がある。これに対して、給気部３０が風洞フロア２０内の気体を介して伝搬する音に対してその一部を遮音する機能を有する。具体的には、略垂直方向に延びる一対の内壁３１及び外壁３２が特に略水平方向（横方向）の音の伝搬が防がれているため、風洞フロア２０内を伝搬した音がそのまま略水平方向に外方へ伝搬することが防がれる。すなわち、風洞フロア２０内では音は略水平方向（横方向）へ広がるが、給気部３０においては、風洞フロア２０から上方へ音を伝搬させることになるため、特に隣接する建造物へ向けて等の構造物１の外方への音の広がりに対してそれを抑制する遮音機能を有する。また、風洞フロア２０及び給気部３０の間では、音が伝搬する空間（気体の移動経路となる空間）の伝搬経路に沿った断面が変化する。また、上述のように、動作音の進路は一方向（横方向）ではなく途中で曲がっている点からも断面が変化している。そのため、断面変化による減衰が生じ、音量が低減される効果も生じ得る。
【００４１】
また、風洞フロア２０内の気体を介して伝搬した音は給気部３０の給気風洞３５内の気体を伝搬し、給気口３４から外方へ広がる可能性があるが、給気口３４は上方に開口しているため、側面に開口している場合と比較して、略水平方向の外方への伝搬を抑制することができる。すなわち、構造物１がビルの屋上等に設けられている場合、隣接する建造物等への動作音の広がりを抑制することができる。また、外方に動作音が広がるとしても給気口３４の周辺構造に由来する回折によって音の減衰が生じ得るため、伝搬する音の音量を減らすことができる。また、構造物１が設けられているビルに隣接する建造物等がある場合、特に風洞フロア２０の外方における下方（例えば、風洞フロア２０よりも下方）での動作音の広がりがさらに抑制される。また、給気部３０に折り返し壁３３が設けられていることで、構造物１の外方への動作音の広がりを抑制することができる。特に、折り返し壁３３が設けられていることで、回折による音の減衰がより促進されることから、構造物１の周囲への動作音の広がりを抑制することができる。
【００４２】
また、内壁３１及び外壁３２の上端の少なくとも一方が空調用室外機９０の上端よりも高い位置とされている場合、空調用室外機９０で発生する動作音が外方に伝搬することをさらに防ぐことができる。空調用室外機９０の動作音は、室外機設置フロア１０よりも上方でも水平方向に伝搬することが考えられる。そこで、内壁３１及び外壁３２の上端の少なくとも一方が空調用室外機９０の上端よりも高い位置とすることで、水平方向の音の伝搬が防がれる。また、構造物１の外方に動作音が広がるとしても、内壁３１及び外壁３２の上方を音が伝搬することから回折による音の減衰が生じ得るため、伝搬する音の音量を減らすことができる。このように、内壁３１及び外壁３２の上端の少なくとも一方が空調用室外機９０の上端よりも高い位置とされることで、構造物１の外方に音が伝搬しにくい環境を形成することができ、特に構造物１の外方における下方（例えば、風洞フロア２０よりも下方）での動作音の広がりを抑制することができる。
【００４３】
なお、給気部３０を構成する各部が吸音機能を有している場合、風洞フロア２０から伝搬する音が外部に広がるのをさらに抑制することができる。例えば、給気風洞３５の内面となる、内壁３１、外壁３２、及び折り返し壁３３の内面等の少なくとも一部が吸音機能を有していると、風洞フロア２０から伝搬する音を当該領域で吸音できるため外方へ伝搬する音の音量を低減することができる。また、例えば内壁３１の外面、すなわち、室外機設置フロア１０側へ露出する面が吸音機能を有していると、空調用室外機９０で発生した室外機設置フロア１０上で水平方向へ伝搬する動作音の一部を吸音することが可能となる。したがって、動作音が外方へ伝搬することを防ぐことができる。給気部３０を構成する各部が吸音機能を有するとは、各部の少なくとも一部が吸音材料を含んで構成されることをいう。吸音材料としては、多孔質材料、成形吸音板、柔軟材料等の公知の材料が挙げられるが、これらに限定されるものではない。
【００４４】
また、構造物１では、空調用室外機９０で発生した熱の構造物１の外方への伝搬、特に隣接する建造物等への水平方向への伝搬を防ぐことができる。上述したように下吸込型の空調用室外機９０では、本体部の下方から気体を吸い込んで、本体部の上方から気体を排出する。空調用室外機９０内部での熱交換の結果、本体部から排出される気体は、高温となっている。上方から気体を排出可能な空調用室外機９０を用いた構造物１の場合、水平方向に気体を排出する構成と比較して、水平方向への熱の伝搬を防ぐことができる。さらに、構造物１では、室外機設置フロア１０よりも外方に給気部３０を設けることで、給気部３０が設けられている方向（図１に示す断面に沿った方向）では、室外機設置フロア１０に設置される空調用室外機９０と構造物１の端部（外壁３２が設けられている位置）との距離が大きくなる。すなわち、平面視において、空調用室外機９０と構造物１の外周との距離を実質的に大きく確保することができるため、空調用室外機９０の上方から排出された高温の気体が、平面視において構造物１の外方へ移動しにくい状態とすることができる。さらに、給気部３０を構成する内壁３１及び外壁３２の少なくとも一方の上端が、空調用室外機９０の上端よりも高い位置に設けられている場合、空調用室外機９０から排出された気体の水平方向の移動が上記の給気部３０によって規制される。したがって、高温の気体は構造物１の上方へ移動するため、構造物１の外方へ移動し、例えば、隣接する建造物等に高温の気体が流れ込むことが規制される。
【００４５】
なお、空調用室外機９０が吸い込む気体が高温となってしまうと、空調用室外機９０における熱交換効率が低下する可能性がある。これに対して、給気部３０の給気口３４は、外壁３２側に設けられている。すなわち、内壁３１から外方へ延びる折り返し壁３３が設けられていることで、給気口３４と空調用室外機９０とが所定の距離を有して離間した状態とされている。そのため、空調用室外機９０の上方から排出された気体がそのまま給気口３４へ入り込む所謂ショートサーキットが防がれる。そのため、空調用室外機９０における熱交換効率の低下を防ぐことができ、空調用室外機９０に接続される空調の冷却効率が高められる。
【００４６】
以上のように、本実施形態に係る構造物１は、下吸込型の空調用室外機９０の吸気口を取り付け可能な開口１１が複数設けられた室外機設置フロア１０と、室外機設置フロア１０の下方に設けられて、複数の開口１１に対して接続された風洞２１を有する風洞フロア２０と、遮音機能を有すると共に、風洞フロア２０へ向けて気体を供給する給気部３０と、を有する。上記の構造物１によれば、複数の空調用室外機９０が設置された室外機設置フロア１０の下方に設けられた風洞フロア２０への給気部３０が、遮音機能を有している。そのため、室外機設置フロア１０に配置された空調用室外機９０の騒音が風洞フロア２０を経て外部へ伝搬することが防がれる。したがって、下吸込型の空調用室外機９０を設置した場合でも周囲に騒音が伝搬することを防ぐことができる。近年、空調用室外機を屋上に集中して設置する場合が増えているため、空調用室外機から発生する音の伝搬を防ぐ方法は検討されている。しかしながら、下吸込型の空調用室外機を設置した場合に、特に給気側の経路を伝った周囲への音の伝搬については何ら考慮されていなかった。これに対して、上記の構造物１では、給気部３０が遮音機能を有しているため、給気側を伝って伝搬する音を給気部３０において遮音することができ、外部への伝搬が防がれるため、周囲への音の伝搬を抑制することができる。
【００４７】
また、給気部３０は、平面視において室外機設置フロア１０よりも外方に設けられ、室外機設置フロア１０と構造物１の端部との間に設けられると共に、室外機設置フロア１０よりも上方に突出する二重の側壁となる内壁３１及び外壁３２を有し、当該二重の側壁の間に給気口３４が設けられる。そのため、特に隣接する建造物等への音の伝搬を抑制することができる。また、室外機設置フロア１０よりも上方に突出する二重の側壁としての内壁３１及び外壁３２が空調用室外機９０から横方向に伝搬する音を遮蔽する遮音壁としても機能することができるため、隣接する建造物等への音の伝搬を防ぐことができる。
【００４８】
また、二重の側壁の少なくとも一方の内面が吸音機能を有している場合、側壁自体が風洞フロア２０を伝搬する音を吸音する機能ことが可能となるため、外部に対する騒音の抑制効果がさらに高められる。
【００４９】
また、二重の側壁である内壁３１及び外壁３２の少なくとも一方は、その上端が室外機設置フロア１０に設置される空調用室外機９０よりも高い構成とすることで、空調用室外機９０から横方向（略水平方向）に伝搬する音をさらに効果的に遮蔽することができる。
【００５０】
また、二重の側壁のうち室外機設置フロア１０側に設けられる内壁３１の上端から構造物１の端部側の外壁３２側へ突出する折り返し壁３３をさらに有する場合、折り返し壁３３が設けられる分だけ室外機設置フロア１０の空調用室外機９０と、給気口３４との間を離間させることが可能となるため、ショートサーキットを防ぐことができる。また、折り返し壁３３の下方に空間としての給気風洞３５が形成されるため、当該空間に気体が貯留しやすくなり風洞フロア２０へ気体が流れやすくなる。折り返し壁３３は、室外機設置フロア１０側の内壁３１の上端の全域に設けられている場合、ショートサーキットを防ぐ効果がさらに高められる。
【００５１】
以上、実施形態について説明したが、本発明は必ずしも上述した実施形態に限定されるものではなく、その要旨を逸脱しない範囲で様々な変形が可能である。
【００５２】
例えば、上記の構造物１では、給気部３０が自然給気によって風洞フロア２０へ向けて給気する場合について説明したが、例えば、給気用のファン等を設けて強制的に給気を行う構成としてもよい。
【００５３】
また、平面視における給気部３０の配置は適宜変更することができる。例えば、給気部３０は、室外機設置フロア１０の全周を囲むように設けられていてもよい。また、例えば、構造物１のうちの一面の壁に沿ってのみ給気部３０が設けられていてもよい。給気部３０の大きさ、配置等は、室外機設置フロア１０に設置される可能性のある空調用室外機９０の数及び性能等に応じて適宜変更することができる。また、隣接する建造物等がある場合、隣接する建造物との位置関係にも基づいて給気部３０の配置を変更してもよい。なお、上記で説明した室外機設置フロア１０のように、空調用室外機９０が面的に配置される場合、給気部３０から空調用室外機９０までの気体の移動長さが長くなりすぎないように、構造物１のように複数の給気部３０を設ける構成とすることができる。
【００５４】
さらに、給気部３０の内壁３１の全域に沿って折り返し壁３３が設けられていなくてもよく、例えば、一部には折り返し壁３３が設けられていない状態であってもよい。その場合、折り返し壁３３が設けられていない領域では、内壁３１と給気口３４との距離が近くなることが考えられるが、空調用室外機９０の配置を変更する（例えば、給気口３４から離間させる）ことで、ショートサーキットを防ぐことが可能となる。
【００５５】
また、折り返し壁３３は、外壁３２側に設けられていてもよい。外壁３２側から折り返し壁３３が延び、折り返し壁３３と内壁３１との間に給気口３４が設けられる場合、内壁３１側に折り返し壁３３が設けられる場合と比較してショートサーキットが発生しやすくなると考えられるが、空調用室外機９０の配置を変更する（例えば、給気口３４から離間させる）ことで、ショートサーキットを防ぐことが可能となる。
【００５６】
また、給気部３０の形状は適宜変更することができる。例えば、給気部３０に給気風洞３５が設けられないような構成、すなわち、折り返し壁３３自体が設けられない構成としてもよい。その場合、内壁３１と外壁３２との距離を適宜調整することで、給気口３４の大きさ等を調整することができる。
【００５７】
また、外壁３２側からの給気を目的として、外壁３２側はルーバー等の横方向（略水平方向）の通気が可能な構成に変更してもよい。この場合、横方向の通気が可能となることで、外壁３２の遮音機能は低下するが、内壁３１が遮音機能を有していることから、騒音の抑制の効果は奏される。
【００５８】
また、風洞フロア２０と給気部３０との位置関係についても適宜変更することができる。例えば、上記実施形態では、風洞フロア２０の床面２２の上方に給気部３０が設けられている構成について説明した。この構成の場合、給気部３０の給気風洞３５の底面及びその周辺は、風洞フロア２０の床面２２及び立ち上がり壁２３によって構成されているともいえる。これに対して、風洞フロア２０とは別体として風洞フロア２０の外側に給気部３０が設けられていてのよい。例えば、風洞フロア２０の床面２２は風洞２１を形成する部分のみに設けられて、その外側に水平方向に延びる底壁を有する給気部３０が設けられる構成としてもよい。この構成の場合、給気部３０の給気風洞３５の底面は給気部３０に設けられた底壁によって構成されることになる。また、風洞フロア２０は、風洞２１を含む主要部のみによって構成してもよい。また、風洞フロア２０の床面２２と給気部３０の底面とが異なる部材から構成される場合、風洞フロア２０の床面２２と給気部３０の底面とが平坦ではなく、例えば、段差等が設けられていてもよい。このように、風洞フロア２０と給気部３０とを位置関係及びその構成は上記実施形態に限定されず、風洞フロア２０の風洞２１に対して給気が適切に行われる範囲で、適宜変更することができる。
【００５９】
また、風洞フロア２０と給気部３０との位置関係及びその構成に応じて、風洞フロア２０についてもその構成を適宜変更することができる。例えば、上記のように、風洞フロア２０の外側に給気部３０が設けられる構成とした場合、風洞フロア２０と給気部３０とが接続される場所には立ち上がり壁２３を設けない構成としてもよい。また、風洞フロア２０の風洞２１が閉じた空間となり給気部３０からの気体が適切に供給される範囲で、風洞フロア２０を構成する壁の配置は適宜変更することができる。
【符号の説明】
【００６０】
１…構造物、１０…室外機設置フロア、１１…開口、１２…床面、１３…閉塞板、２０…風洞フロア、２１…風洞、２２…床面、３０…給気部、３１…内壁、３２…外壁、３３…折り返し壁、３４…給気口、３５…給気風洞、５０ａ，５０ｂ…外壁、９０…空調用室外機。
【図１】
2020193741.tif 000003
【図２】
2020193741.tif 000004